(57)【要約】【課題】テープをスムーズに捻転させ、走行させることができる塗膜転写具を提供すること。【解決手段】塗膜転写具１０は、ケース６０内に繰出コア２０、巻取コア３０、及び第１のかさ歯車４０が回転可能に収納され、ケース６０端部から押圧転写部５２を具えた転写ヘッド５０が突出し、転写テープＴが繰出コア２０から繰出され、転写ヘッド５０の手前にあるガイドピンＧ１、テープガイド部ＴＧ、転写ヘッド５０により捻転されて案内され、押圧転写部５２において被転写面に転写される塗膜と残りのテープ基材Ｔ１とに分かれ、テープ基材Ｔ１が捻転されることなく案内され、巻取コア３０に巻取られるようになっている。テープガイド部ＴＧのガイド面をケースの表裏両面に対して傾斜させ、テープ幅方向の一端と他端との周長差を少なくすることでテープをスムーズに捻転させ、走行させることができる。【選択図】図１
2006007649.tif 000002
【特許請求の範囲】
【請求項１】
ケース内に繰出コアと巻取コアが回転可能に収納され、前記ケース端部から押圧転写部を具えた転写ヘッドが突出し、転写テープが前記繰出コアから繰出され、前記転写ヘッドの手前で捻転され、前記押圧転写部において被転写面に転写される塗膜と残りのテープ基材とに分かれ、前記テープ基材が前記巻取コアに巻取られるようになっている塗膜転写具において、
前記繰出コアから前記押圧転写部の間に、前記ケースの表裏両面に対して傾斜するガイド面を有し前記転写テープの捻転をガイドするテープガイド部が設けられていることを特徴とする、
塗膜転写具。
【請求項２】
塗膜転写後、前記テープ基材がさらに捻転されて前記巻取コアに巻取られるようになっている塗膜転写具において、前記押圧転写部から前記巻取コアの間に、前記ケースの表裏両面に対して傾斜するガイド面を有し前記転写テープの捻転をガイドするテープガイド部がさらに設けられている、請求項１の塗膜転写具。
【請求項３】
前記転写ヘッドが回動可能に軸支されている、請求項１又は２の塗膜転写具。
【請求項４】
前記テープ基材厚みが２２マイクロメートル以下である、請求項１から３のいずれかの塗膜転写具。
【発明の詳細な説明】
【技術分野】
【０００１】
本発明は、文字修正用塗膜、接着用粘着膜、装飾用塗膜等を被転写面に押圧転写するための塗膜転写具の技術分野に属し、特に、転写ヘッドにおいて転写テープがケースの表裏両面に対しほぼ平行に案内される横引きタイプの塗膜転写具の技術分野に属する。
【背景技術】
【０００２】
図５は、従来の横引きタイプの塗膜転写具のカバーを外した状態の上面図であり、図６は一部側面図である（例えば、特許文献１〜４参照。）。
この塗膜転写具１０Ａは、ケース１１１内に転写テープ１１９が巻回された繰出コア１１５と塗膜転写後の転写テープ１１９を巻取る巻取コア１１６とが回転可能に収納されるとともに、ケース１１１端部から尖頭形の転写ヘッド１１８が突出し、繰出コア１１５から転写テープ１１９の一端が繰出されて、転写ヘッド１１８の手前でガイドピン１２２及びテープガイド部ＧＢ１１に当接して９０°だけ捻転され、転写ヘッド１１８の押圧転写部１３２を経由してから転写ヘッド１１８の出口でテープガイド部ＧＢ１２及びガイドピン１２３に当接して前記捻転が元に戻され、又はさらに９０°捻転され、巻取コア１１６に巻取られる構成となっている。
【０００３】
この横引きタイプの塗膜転写具１０Ａによれば、転写テープ１１９が転写ヘッド１１８の手前で９０°だけ捻転されるので、転写ヘッド１１８において転写テープ１１９がケース１１１の表裏両面に対しほぼ平行に案内される。そのため、両面を手で把持し、肘を張ることなく机上に押し付けた状態で水平方向に動かすことにより書き間違った文字を消去することができるので、転写ヘッド１１８を所望の箇所に正確且つ安定的に移動させることができるという特徴がある。
【０００４】
しかし、この塗膜転写具１０Ａは、図６に示すように、テープガイド部ＧＢ１１，ＧＢ１２がケースの表裏面と平行なため、転写テープ幅方向の一端と他端との周長差により、転写テープ１１９が完全に捻転できずテープガイド部ＧＢ１１，ＧＢ１２を通った後も斜行しやすくなるという問題を有する。特に、塗膜転写後、テープガイド部ＧＢ１２を通った後も転写テープ１１９が斜行して、端部が折れ曲がったまま巻取コアに巻き取られてしまうことがあり問題となっていた。  
【０００５】
これに対し、図７及び図８に示すような塗膜転写具１０Ｂが、特許文献５に開示されている。
この塗膜転写具１０Ｂは、ケース２内に繰出コア３、巻取コア４が回転可能に収納され、第１のかさ歯車７が、ケース２内に回転軸が繰出コア３と同軸に回転可能に配置され、巻取コア４の一側に形成された第２のかさ歯車９と回転軸を交差して噛合しており、ケース２端部から押圧転写部６を具えた転写ヘッド５が突出し、転写テープＴが繰出コア３から繰出され、転写ヘッド５の手前でテープガイド部ＧＢ２に当接して９０°捻転され、押圧転写部６において被転写面に転写される塗膜と残りのテープ基材Ｔ１とに分かれ、テープ基材Ｔ１が捻転されることなく巻取コア４に巻取られるようになっている。
【０００６】
この塗膜転写具１０Ｂによれば、転写ヘッド５において転写テープＴがケース２の表裏両面に対しほぼ平行に案内されることから、使用者がケース２を寝かせた状態で転写ヘッド５の押圧転写部６を上方から視認しながら塗膜を転写できるのみならず、塗膜転写後、テープ基材Ｔ１が捻転されることなく巻取コア４に巻取られるようになっていることから、塗膜転写後、テープ基材Ｔ１が斜行することなくスムーズに巻き取られる。
【特許文献１】実用新案登録第２５４４０３０号公報
【特許文献２】特許第２６３９６０６号公報
【特許文献３】特許第３４３１６７６号公報
【特許文献４】特開平１０−３０９８９２号公報
【特許文献５】特許第３００８０２５号公報
【発明の開示】
【発明が解決しようとする課題】
【０００７】
しかし、この塗膜転写具１０Ｂも、繰出コアから押圧転写部の間に前記転写テープの捻転をガイドするテープガイド部ＧＢ２を有するものであり、このテープガイド部ＧＢ２は塗膜転写具１０Ａと同様ケースの表裏面と平行であるので、転写テープ幅方向の一端と他端との周長差により、テープガイド部ＧＢ２を通った後も転写テープＴ１が完全に捻転できず斜行しやすくなるという問題を依然有する。
【０００８】
特に、繰出コアから転写ヘッドまでの距離が短かったり、或いは転写テープの厚さが薄い場合、テープガイド部を通った後も転写テープが完全に捻転できず斜行し、転写テープの幅方向端部がケースに接触して、転写テープ端部の塗膜が剥がれ落ちたり、転写テープ端部が折れ曲がり、塗膜の全幅が被転写面に転写できなくなる。また、塗膜転写後折れ曲ったままテープ基材が巻き取られてしまうという問題があった。
【課題を解決するための手段】
【０００９】
本発明は、ケース内に繰出コアと巻取コアが回転可能に収納され、前記ケース端部から押圧転写部を具えた転写ヘッドが突出し、転写テープが前記繰出コアから繰出され、前記転写ヘッドの手前で捻転され、前記押圧転写部において被転写面に転写される塗膜と残りのテープ基材とに分かれ、前記テープ基材が前記巻取コアに巻取られるようになっている塗膜転写具において、前記繰出コアから前記押圧転写部の間に、前記ケースの表裏両面に対して傾斜するガイド面を有し前記転写テープの捻転をガイドするテープガイド部が設けられていることを特徴とする塗膜転写具によって、前記の課題を解決した。
【発明の効果】
【００１０】
本発明によれば、テープガイド部のガイド面をケースの表裏両面に対して傾斜させ、テープ幅方向の一端と他端との周長差を少なくすることで、テープをスムーズに走行させることができる。
【発明を実施するための最良の形態】
【００１１】
図１は、本発明の塗膜転写具を上側から見た透視図、図２は図１の２−２線断面図、図３は図１の３−３線断面図、図４（ａ）は図１の４−４線断面図、図４（ｂ）は図４（ａ）の４ｂ−４ｂ線断面図である。
本発明の塗膜転写具１０は、ケース６０内に繰出コア２０、巻取コア３０、及び第１のかさ歯車４０が回転可能に収納され、ケース６０端部から押圧転写部５２を具えた転写ヘッド５０が突出し、転写テープＴが繰出コア２０から繰出され、転写ヘッド５０の手前にあるガイドピンＧ１、テープガイド部ＴＧ、転写ヘッド５０により転写テープＴの向きが９０°捻転されて案内され、押圧転写部５２において被転写面に転写される塗膜と残りのテープ基材Ｔ１とに分かれ、テープ基材Ｔ１がガイドピンＧ２により捻転されることなく案内され、巻取コア３０に巻取られるようになっている。転写ヘッド５０は、軸心周りに回転が可能であるように、回動可能に軸支されている。
なお、転写テープＴの捻転は９０°に限るものではなく、転写テープＴが４５°〜８０°程度捻転され、転写後捻転されることなく巻取コア３０に巻取られるものであってもよい。
【００１２】
図４に示すように、繰出コア２０から押圧転写部５２の間に転写テープＴをガイドするテープガイド部ＴＧが設けられ、テープガイド部ＴＧのガイド面はケース６０の表裏両面６０Ａ，６０Ｂに対して傾斜している。
このように、テープガイド部ＴＧのガイド面をケースの表裏両面６０Ａ，６０Ｂに対して傾斜させ、テープ幅方向の一端と他端との周長差を少なくすることでテープをスムーズに走行させることができる。
【００１３】
ケース６０は、本体６２と交換カセット６４からなる。本体６２には、第１のかさ歯車４０が取付けられ、交換カセット６４には、繰出コア２０、巻取コア３０、及び転写ヘッド５０が取付けられている。
【００１４】
本体６２には支軸Ｓ１，Ｓ２が具えられ、支軸Ｓ１には繰出プーリ２２、支軸Ｓ２には第１のかさ歯４０がそれぞれ回転可能に嵌合されている。繰出プーリ２２と第１のかさ歯４０が互いに連動して回転するように、繰出プーリ２２と第１のかさ歯４０に無端状のゴムベルトＢ（Ｏリング）が掛回されており、繰出プーリ２２には繰出コア２０が同軸上に取付けられている。このベルト式連動機構により、繰出コア２０と第１のかさ歯車４０は連動回転する。勿論、ベルト式に替えて繰出プーリ２２及び第１のかさ歯車４０にギヤを設け、両ギヤ間を中間ギヤを介して連動させてもよい。
一方、巻取コア３０は交換カセット６４に直接回転可能に嵌合され、巻取コア３０の一側に形成された第２のかさ歯車３２が、第１のかさ歯車４０と回転軸を交差して噛合する。
【００１５】
繰出コア２０から転写テープＴが繰出されると、繰出コア２０の回転が、繰出プーリ２２及びゴムベルトＢを介して第１のかさ歯車４０に伝わり、第１のかさ歯車４０の回転が第２のかさ歯車３２を介して巻取コア３０に伝わる。かくして、繰出コア２０と巻取コア３０が連動回転する。
【００１６】
繰出コア２０から繰出された転写テープＴは、転写ヘッド５０の手前にあるガイドピンＧ１から徐々に捻転され、ガイド面がケース６０の表裏両面６０Ａ，６０Ｂに対して傾斜しているテープガイド部ＴＧを通って、転写ヘッド５０の押圧転写部５２まで送られる。
このように、テープガイド部ＴＧのガイド面をケース６０Ａ，６０Ｂの表裏両面に対して傾斜させることで、テープをスムーズに走行させることができる
なお、テープをスムーズに走行させるためには、テープ基材Ｔ１の厚みは２２マイクロメートル以下、図４（ｂ）のテープガイドＴＧのガイド面のケース表裏両面６０Ａ，６０Ｂに対する角度は、約１６°であることが好ましい。
【００１７】
この後、転写テープＴは、押圧転写部５２において被転写面に転写される塗膜と残りのテープ基材Ｔ１とに分かれ、テープ基材Ｔ１がガイドピンＧ２により捻転されることなく案内され、巻取コア３０に巻取られるが、本発明はこれに限るものでなく、塗膜転写後、テープ基材がさらに捻転されて前記巻取コアに巻取られるものであってもよい。
その場合、転写ヘッドの押圧転写部から巻取コアの間に転写テープの捻転をガイドするテープガイド部のガイド面を、同様にケースの表裏両面に対して傾斜させることで、テープをスムーズに走行させることができる。
【００１８】
以上説明したように、本発明によれば、テープガイド部のガイド面をケースの表裏両面に対して傾斜させ、テープ幅方向の一端と他端との周長差を少なくすることで、テープをスムーズに走行させることができるという効果を奏する。
【図面の簡単な説明】
【００１９】
【図１】本発明の塗膜転写具を上側から見た透視図。
【図２】図１の２−２線断面図。
【図３】図１の３−３線断面図。
【図４】（ａ）は図１の４−４線断面図、（ｂ）は図４（ａ）の４ｂ−４ｂ線断面図。
【図５】従来の横引きタイプの塗膜転写具のカバーを外した状態の上面図。
【図６】従来の横引きタイプの塗膜転写具の一部側面図。
【図７】他の従来の横引きタイプの塗膜転写具のカバーを外した状態の上面図。
【図８】他の従来の横引きタイプの塗膜転写具の転写ヘッドを示す説明図。
【符号の説明】
【００２０】
１０：塗膜転写具    ２０：繰出コア    ３０：巻取コア
５０：転写ヘッド    ５２：押圧転写部
６０：ケース    ６０Ａ：ケース表面    ６０Ｂ：ケース裏面
Ｔ：転写テープ    Ｔ１：テープ基材    ＴＧ：テープガイド部
【図１】
2006007649.tif 000003
【図２】
2006007649.tif 000004
【図３】
2006007649.tif 000005
【図４】
2006007649.tif 000006
【図５】
2006007649.tif 000007
【図６】
2006007649.tif 000008
【図７】
2006007649.tif 000009
【図８】
2006007649.tif 000010